(57)【要約】　　　（修正有）【課題】　投影式墨出し装置の構造を簡単にする。【解決手段】　装置筐体の縦罫線投射光束が出射する窓を、縦罫線投射用の投光器ユニットの左右搖動の中心軸線の延長が筐体前面壁と交わる点を中心とする縦長の扇形スリット状とし、投光器ユニットが左右搖動可能範囲の限界迄傾くと、投光器ユニットから放射されている光束が窓の側縁で遮蔽されて対象面に投影されている縦罫線が消えるようにした。【選択図】　図１
0003099744.tif 000002
【実用新案登録請求の範囲】
【請求項１】
　振子式に支承されて所定範囲内で自然に一定の姿勢を保つように投光器を支承してなる投影式墨出し装置において、筐体前面に設けられた光束出射窓の形をこの窓を通過した光束が前方に投影する光の線と平行の方向に細長なスリット状とし、外筐が所定範囲以上に傾いたとき、上記光束の全部又は一部が上記光束出射窓の縁によって遮光されるようにした投影式墨出し装置。
【請求項２】
　光出射窓の形を投光器の左右方向搖動の中心軸の延長が筐体前面と交わる点を中心とする扇形の細長スリットとした請求項１記載の投影式墨出し装置。
【考案の詳細な説明】
【技術分野】
【０００１】
　本考案は建築或は室内内装等の作業で墨で罫線引きをする代わりに光の線像を壁面，天井，床等に投影する投影式墨出し装置に関する。
【背景技術】
【０００２】
　上述した投影式墨出し装置は半導体レ−ザの光を適当な光学系を通して扇形に広がる薄い板状の光束とし、この光束を対象面に投射することで光の線を対象面に表わすようになっている。この為の投光器はユニット化されて振子式に装置筐体内に支承されて、自動的に垂直位置を取っており壁面等に垂直線或は水平線或は両方の線を投影する。
【０００３】
　投影式墨出し装置はポ−タブルに造られており、投光器ユニットは狭い筐体内に吊るされているので、その自由に搖動できる範囲は狭くて、装置を置いた面が少し傾いていると、投光器ユニットは筐体内面に当たって自由搖動が出来なくなり、傾いた線を対象面に投影する。一方人間の眼は外部の状況に応じて垂直水平の判断をしていて錯覚が多く、少しの傾きは気付かないで作業を進めてしまうことが多い。
【０００４】
　このため従来は投光器ユニットに水準器を付けるとか、筐体内にスイッチを取付け、投光器ユニットが当たることでこのスイッチが開き、光源を消灯したりすることが行われていた。
【考案の開示】
【考案が解決しようとする課題】
【０００５】
　上述したように投影式墨出し装置が現場で傾いて置かれて投光器ユニットの自由搖動範囲を越えているときの警告手段として、水準器を取付けたりスイッチを設けて電源を切ると云う方法は装置の部品点数を増し、組立てを繁雑にして装置を高価なものとする原因であり、水準器を用いるものでは一々水準器を見る必要があって現場作業では大変面倒であり、スイッチを用いるとそれ自身が接触不良等のトラブルの原因になる等問題点が多い。本考案はこれらの諸問題を解決しようとするものである。
【課題を解決するための手段】
【０００６】
　装置筐体の縦罫線投射光束が出射する窓を、縦罫線投射用の投光器ユニットの左右搖動の中心軸線の延長が筐体前面壁と交わる点を中心とする縦長の扇形スリット状とし、上記投光器ユニットが左右搖動可能範囲の限界迄傾くと、該投光器ユニットから放射されている光束が上記窓の側縁で遮蔽されて対象面に投影されている縦罫線が消えるようにした。
【０００７】
　上述したものは縦罫線を投影する装置に対応するもので、垂直，水平両罫線を投影する装置の場合も縦罫線に対してだけスリット状の窓とすれば良い。一方水平罫線のみを投影する装置においては、上述したスリット状の窓は左右両方向に延びる形とすれば良い。
【０００８】
　　更に装置の傾きが投光器ユニットの搖動限界迄来たとき、投影罫線が全長にわたって全部消滅する必要はなくて、端の方が消えて、投影罫線が短くなったと認識できる程度に短くなるようにしてあっても良いので、窓は細長い扇形に限られず、細い一定幅のスリットでも良いのである。
【考案の効果】
【０００９】
　本考案によれば、装置使用時の傾きが限界であるとを知らせるに当り、水準器とかスイッチ等何等の追加部品も要せず、本来装置筐体に存在している窓を細長いスリット状にするだけであるから、従来よりも安価になり、使用上も注意を分散させる必要がなくなり、スイッチ等を用いないから余計なトラブルの発生も無くなる。
【考案を実施するための最良の形態】
【００１０】
　図１は本考案装置における投光器ユニットと筐体前面の光束出射窓との関係を示す。１が投光器ユニットで扇形扁平な光束Ｆを形成放射する。投光器ユニット１の構造は後述する。２はこのユニット１を保持する支持体で、シャフト４を有し、シャフト４が軸受５に支承されている。軸受５自身はｙ軸方向の軸受８で支承され、この構造で支持体２は左右前後に振子状に搖動できる。６はブラケットで筐体７内に設立されて軸受８を保持している。支持体２は下部に錘９が取付けられていて、光束Ｆは常に前方壁面に鉛直基準線を投影するようになっている。筐体７は図では一部しか示していないが、前面に光束Ｆが通過する光束出射窓１０が設けられている。この窓には筐体７内の軸受やレンズに塵埃がかゝらないように透明窓板が張設してある。
【００１１】
　窓１０はシャフト４（支持体を左右に揺らす）の中心ｘ軸の延長と窓１０の幅の中心線との交点０を中心として上方が広がる細長扇形のスリットである。ｘ軸は支持体２従って投光器ユニット１の左右搖動の中心であり、光束出射窓１０もこのｘ軸上に中心を有する扇形であるから、投光器ユニット１が左右に揺れても光束Ｆは常に上下方向の全幅がこの窓１０の中にある。
【００１２】
　つまり本考案装置を置いた場所が水平でなくても、光束Ｆは或る限度範囲では傾いた窓１０の縁に遮られることなく、窓１０を出て前方に垂直基準となる罫線を投影することが出来るのである。そして傾きが限界を超えると光束Ｆは全幅にわたって窓１０の縁に遮られ、投影されていた基準線が消えるから、作業をする人は装置を置いた面の傾きが本考案装置の正常動作可能の範囲を超えていることを知るのである。
【００１３】
　上述した装置では投光器ユニットは左右前後全方向に搖動可能に支承されているが、このうちｙ軸回り（前後方向）の搖動は可能でなくてもよい。これを可能にしてあるのは前後の傾きによって、軸受５にこじりの力が働き搖動の摩擦が増すおそれがあることに備えたに過ぎないものである。要は装置の左右方向の傾きに対して光束Ｆ面の垂直性が保証されておれば良いのである。投光器ユニットが前後にも傾き得る場合、床面が前傾していると図１の窓１０の扇形の要めの点０は図より相対的に下方に移動し、光束Ｆはその幅の上縁から先に、つまり基準線は上から順に遮光されるようになるが、傾きの限度を警告する目的であるから支障はない。
【００１４】
　上例は垂直基準線を投影する装置であるが、水平基準線を投影する装置でも本考案は適用できる。図２はその例を示し、この例では垂直，水平両方の罫線を投影できる。垂直罫線を投影するための構造は上述した所と同じであるから、こゝには水平罫線を投影する構造についてのみ述べる。１Ｂが水平罫線を投影する水平線投光器ユニットで、垂直線投光器ユニット１Ａと共に支持体２に保持されている。支持体２はＴ字形の軸１２の上辺両端に支承されて前後に搖動可能であると共にＴ字形の脚部が軸受５に支承されて左右方向に搖動できる。投光器ユニット１Ｂは水平面内に広がる扇形光束Ｖを発射して前方に水平線を投射する。１０は前述した図１の１０と同じ光束出射窓で垂直罫線を投影する光束Ｆの通過窓で、この例の場合長さ方向に同じ幅のスリットである。１１は水平罫線を投影する光束Ｖの光束出射窓で、左右に細長い蝶形のスリットになっている。
【００１５】
　上述２例によって光出射窓は図１の１０に示す扇形，図２の１０に示す細長矩形，同図１１の蝶形の３種が示されたが、第一要件は通過光束Ｆ又はＶの広がり方向と平行の細長スリット状と云うことで、これを扇形とするのは投影される光の線が略々一斉に遮光されるようにするためである。スリット幅を一定にしてあると、投影される光の線は端から遮光されて、光の線が短くなって行くことで、装置が許容傾きの限界に近づいたことを知ることになる。図２の窓１０では窓の中程に横桟１０ａが設けてある。これによって投影されている罫線には一つの切れ目が入る。そして光の線がこの切れ目を超えて短くなったときが傾きの限界であることを示すようにしてある。
【実施例】
【００１６】
　図３は本考案の実施例を示し、垂直および水平の両罫線を同時に投影するものである。筐体７は左右に稍扁平で上から見ると長方形になっている。扁平であるから服のポケットに入れて持ち歩ける。筐体７の前面上角は斜めになっており、この部分に垂直罫線投影用の光束Ｆの出射窓１０が設けられている。その下の垂直面の部分に横長の光束出射窓１１が設けられており、これを通して水平罫線投射用光束Ｖが出射される。筐体７の下面には段１５があり、段の後部下面には回転板１４が設けてあり、回転板１４を直角に回わすと回転板１４と筐体７の段１５の前の部分とが三脚となって筐体７を置いたときの横倒れを阻止する。回転板１４は装置の電源スイッチ（不図示）の把手を兼ねており、これを横向き（図に鎖線で示す）に回わすことで電源スイッチが閉じられる。
【００１７】
　図４は投光器ユニット（図１，２の１，１Ａ，１Ｂ）の一例で、鏡筒２０の前端に円柱レンズ２１が固定され、鏡筒内で円柱レンズ２１の後に集光レンズ（球面レンズ）２２が配置され、鏡筒の後端部に半導体レ−ザ２３が取付けられている。
【図面の簡単な説明】
【００１８】
【図１】投影式墨出し装置の構成の一例を示す斜視図。
【図２】同じく他の構成例を示す斜視図。
【図３】投影式墨出し装置の一実施例の外観斜視図。
【図４】上記に用いられる投光器ユニットの縦断面図。
【符号の説明】
【００１９】
　　１，１Ａ，１Ｂ　　　投光器ユニット
　　２　　　　　　　　　支持体
　　５　　　　　　　　　軸受
　　７　　　　　　　　　筐体
　　１０，１１　　　　　光束出射窓
【図１】
0003099744.tif 000003
【図２】
0003099744.tif 000004
【図３】
0003099744.tif 000005
【図４】
0003099744.tif 000006